(57)【要約】  ユーザ端末（ＵＥ）がサウンディング基準信号（ＳＲＳ）を転送する方法及び装置が提供される。非周期的ＳＲＳ転送パラメータに対する第１値を有する非周期的ＳＲＳ転送を表す非周期的ＳＲＳ要請フィールドを有する第１ダウンリンク制御情報（ＤＣＩ）フォーマットが受信される。非周期的ＳＲＳ転送パラメータに対する第２値を有する非周期的ＳＲＳ転送を表す非周期的ＳＲＳ要請フィールドを有する第２のＤＣＩフォーマットが受信される。非周期的ＳＲＳ転送パラメータに対する第１値と非周期的ＳＲＳ転送パラメータに対する前記第２値とが比較される。第１値が第２値と同一な場合に非周期的ＳＲＳが転送される。第１値が第２値と同一でない場合に非周期的ＳＲＳの転送が中止される。
2014513490.tif 000002
【特許請求の範囲】
【請求項１】
ユーザ端末（ＵＥ：User Equipment）がサウンディング基準信号（ＳＲＳ：Sounding Reference Signal）を転送する方法であって、
非周期的ＳＲＳ転送パラメータに対する第１値を有する非周期的ＳＲＳ転送を表す非周期的ＳＲＳ要請フィールドを有する第１ダウンリンク制御情報（ＤＣＩ：Downlink Control Information）フォーマットを受信するステップと、
非周期的ＳＲＳ転送パラメータに対する第２値を有する非周期的ＳＲＳ転送を表す非周期的ＳＲＳ要請フィールドを有する第２のＤＣＩフォーマットを受信するステップと、
非周期的ＳＲＳ転送パラメータに対する前記第１値と非周期的ＳＲＳ転送パラメータに対する前記第２値とを比較するステップと、
前記第１値が前記第２値と同一な場合に、非周期的ＳＲＳを転送するステップと、
前記第１値が前記第２値と同一でない場合に、非周期的ＳＲＳの転送を中止するステップと、
を含むことを特徴とする、方法。
【請求項２】
前記第１のＤＣＩフォーマットの非周期的ＳＲＳ要請フィールドは、ビットのうちの第１ナンバーにより表し、非周期的ＳＲＳ転送パラメータの第１セットからの非周期的ＳＲＳ転送パラメータを表し、
前記第２のＤＣＩフォーマットの非周期的ＳＲＳ要請フィールドは、ビットのうちの第２ナンバーにより表し、非周期的ＳＲＳ転送パラメータの第２セットからの非周期的ＳＲＳ転送パラメータを表すことを特徴とする、請求項１に記載の方法。
【請求項３】
前記第１のＤＣＩフォーマット及び前記第２のＤＣＩフォーマットは異なる転送時間間隔で受信されることを特徴とする、請求項１に記載の方法。
【請求項４】
ユーザ端末（ＵＥ）がサウンディング基準信号（ＳＲＳ）を転送する方法であって、
ダウンリンク制御情報（ＤＣＩ）フォーマットの第１ナンバー及びＤＣＩフォーマットの第２ナンバーを受信するステップであって、前記ＤＣＩフォーマットの第１ナンバーの各々は非周期的ＳＲＳ転送と非周期的ＳＲＳ転送パラメータに対する値を表す非周期的ＳＲＳ要請フィールドを搬送し、前記ＤＣＩフォーマットの第２ナンバーの各々は非周期的ＳＲＳ転送を表さない非周期的ＳＲＳ要請フィールドを搬送する、前記受信するステップと、
前記ＤＣＩフォーマットの第１ナンバーの各々の非周期的ＳＲＳ要請フィールドにより表す非周期的ＳＲＳ転送パラメータに対する値を比較するステップと、
前記ＤＣＩフォーマットの第２ナンバーの各々の非周期的ＳＲＳ要請フィールドを無視するステップと、
前記ＤＣＩフォーマットの第１ナンバーの各々の非周期的ＳＲＳ要請フィールドにより表す非周期的ＳＲＳ転送パラメータに対する値が全て同一な場合に、前記非周期的ＳＲＳを転送するステップと、
前記ＤＣＩフォーマットの第１ナンバーの各々の非周期的ＳＲＳ要請フィールドにより表す非周期的ＳＲＳ転送パラメータに対する値が全て同一でない場合に、前記非周期的ＳＲＳを中止するステップと、
を含むことを特徴とする、方法。
【請求項５】
前記ＤＣＩフォーマットの第１ナンバーまたは前記ＤＣＩフォーマットの第２ナンバーからの第１のＤＣＩフォーマットの非周期的ＳＲＳ要請フィールドは、ビットのうちの第１ナンバーにより表し、非周期的ＳＲＳ転送パラメータの第１セットからの非周期的ＳＲＳ転送パラメータを表し、
前記ＤＣＩフォーマットの第１ナンバーまたは前記ＤＣＩフォーマットの第２ナンバーからの第２のＤＣＩフォーマットの非周期的ＳＲＳ要請フィールドは、ビットのうちの第２ナンバーにより表し、非周期的ＳＲＳ転送パラメータの第２セットからの非周期的ＳＲＳ転送パラメータを表すことを特徴とする、請求項４に記載の方法。
【請求項６】
前記ＤＣＩフォーマットの第１ナンバーまたは前記ＤＣＩフォーマットの第２ナンバーからの第１のＤＣＩフォーマット及び第２のＤＣＩフォーマットは異なる転送時間間隔で受信されることを特徴とする、請求項４に記載の方法。
【請求項７】
前記非周期的ＳＲＳ転送パラメータは上位レイヤシグナリングを通じてネットワークからＵＥに対して構成され、転送コム（comb）、サイクリックシフト、動作帯域幅のスターティング位置、転送帯域幅、転送時点、及びＵＥ送信アンテナポートの数のうち、少なくとも１つを含むことを特徴とする、請求項１または４に記載の方法。
【請求項８】
サウンディング基準信号（ＳＲＳ）を転送するユーザ端末（ＵＥ）装置であって、
非周期的ＳＲＳ転送パラメータに対する第１値を有する非周期的ＳＲＳ転送を表す非周期的ＳＲＳ要請フィールドを有する第１ダウンリンク制御情報（ＤＣＩ）フォーマットと、非周期的ＳＲＳ転送パラメータに対する第２値を有する非周期的ＳＲＳ転送を表す非周期的ＳＲＳ要請フィールドを有する第２のＤＣＩフォーマットを受信する受信機と、
非周期的ＳＲＳ転送パラメータに対する前記第１値と非周期的ＳＲＳ転送パラメータに対する前記第２値とを比較する比較器と、
前記第１値が前記第２値と同一な場合に非周期的ＳＲＳを転送し、前記第１値が前記第２値と同一でない場合に非周期的ＳＲＳの転送を中止する送信機と、
を含むことを特徴とする、ＵＥ装置。
【請求項９】
前記第１のＤＣＩフォーマットの非周期的ＳＲＳ要請フィールドは、ビットのうちの第１ナンバーにより表し、非周期的ＳＲＳ転送パラメータの第１セットからの非周期的ＳＲＳ転送パラメータを表し、
前記第２のＤＣＩフォーマットの非周期的ＳＲＳ要請フィールドは、ビットのうちの第２ナンバーにより表し、非周期的ＳＲＳ転送パラメータの第２セットからの非周期的ＳＲＳ転送パラメータを表すことを特徴とする、請求項８に記載のＵＥ装置。
【請求項１０】
前記第１のＤＣＩフォーマット及び前記第２のＤＣＩフォーマットは異なる転送時間間隔で受信されることを特徴とする、請求項８に記載のＵＥ装置。
【請求項１１】
サウンディング基準信号（ＳＲＳ）を転送するユーザ端末（ＵＥ）装置であって、
ダウンリンク制御情報（ＤＣＩ）フォーマットの第１ナンバー及びＤＣＩフォーマットの第２ナンバーを受信する受信機であって、前記ＤＣＩフォーマットの第１ナンバーの各々は非周期的ＳＲＳ転送と非周期的ＳＲＳ転送パラメータに対する値を表す非周期的ＳＲＳ要請フィールドを搬送し、前記ＤＣＩフォーマットの第２ナンバーの各々は非周期的ＳＲＳ転送を表さない非周期的ＳＲＳ要請フィールドを搬送する前記受信機と、
前記ＤＣＩフォーマットの第１ナンバーの各々の非周期的ＳＲＳ要請フィールドにより表す非周期的ＳＲＳ転送パラメータに対する値を比較し、前記ＤＣＩフォーマットの第２ナンバーの各々の非周期的ＳＲＳ要請フィールドを無視する比較器と、
前記ＤＣＩフォーマットの第１ナンバーの各々の非周期的ＳＲＳ要請フィールドにより表す非周期的ＳＲＳ転送パラメータに対する値が全て同一な場合に前記非周期的ＳＲＳを転送し、前記ＤＣＩフォーマットの第１ナンバーの各々の非周期的ＳＲＳ要請フィールドにより表す非周期的ＳＲＳ転送パラメータに対する値が全て同一でない場合に前記非周期的ＳＲＳの転送を中止する送信機と、
を含むことを特徴とする、ＵＥ装置。
【請求項１２】
前記ＤＣＩフォーマットの第１ナンバーまたは前記ＤＣＩフォーマットの第２ナンバーからの第１のＤＣＩフォーマットの非周期的ＳＲＳ要請フィールドは、ビットのうちの第１ナンバーにより表し、非周期的ＳＲＳ転送パラメータの第１セットからの非周期的ＳＲＳ転送パラメータを表し、
前記ＤＣＩフォーマットの第１ナンバーまたは前記ＤＣＩフォーマットの第２ナンバーからの第２のＤＣＩフォーマットの非周期的ＳＲＳ要請フィールドは、ビットのうちの第２ナンバーにより表し、非周期的ＳＲＳ転送パラメータの第２セットからの非周期的ＳＲＳ転送パラメータを表すことを特徴とする、請求項１１に記載のＵＥ装置。
【請求項１３】
前記ＤＣＩフォーマットの第１ナンバーまたは前記ＤＣＩフォーマットの第２ナンバーからの第１のＤＣＩフォーマット及び第２のＤＣＩフォーマットは異なる転送時間間隔で受信されることを特徴とする、請求項１１に記載のＵＥ装置。
【請求項１４】
前記非周期的ＳＲＳ転送パラメータは上位レイヤシグナリングを通じてネットワークからＵＥに対して構成され、転送コム、サイクリックシフト、動作帯域幅のスターティング位置、転送帯域幅、転送時点、及びＵＥ送信アンテナポートの数のうち、少なくとも１つを含むことを特徴とする、請求項８または１１に記載のＵＥ装置。
【発明の詳細な説明】
【技術分野】
【０００１】
本発明は一般的に無線通信システムに関し、より詳しくは、通信システムのアップリンクでサウンディング基準信号の転送に関する。
【背景技術】
【０００２】
通信システムは、基地局（ＢＳ）またはノードＢからユーザ端末（ＵＥ）に転送信号を搬送するダウンリンク（ＤＬ）を含む。また、通信システムはＵＥからノードＢに転送信号を搬送するアップリンク（ＵＬ）を含む。端末または移動局としても通常的に称されるＵＥは固定型または移動型であることがあり、無線デバイス、セルラーフォン、または個人用コンピュータデバイスとして具現できる。ノードＢは一般的に固定局であり、アクセスポイントまたは他の同等な用語として称されることもある。
【０００３】
ＵＬは、ＤＬでデータ信号の転送と関連した制御情報を提供する制御信号と、通常的にパイロット信号と称される基準信号（ＲＳ）の情報コンテンツを入れたデータ信号の転送を搬送する。また、ＤＬはデータ信号、制御信号、及びＲＳの転送を搬送する。ＵＬ信号は、離散フーリエ変換（ＤＦＴ）直交周波数分割多重化（ＤＦＴ−Ｓ−ＯＦＤＭ）方法を使用して隣接ＲＥのクラスターを超えて転送できる。ＤＬ信号は、ＯＦＤＭ方法を使用して転送されることもできる。
【０００４】
ＵＬデータ信号は物理アップリンク共有チャンネル（ＰＵＳＣＨ）を介して搬送され、ＤＬデータ信号は物理ダウンリンク共有チャンネル（ＰＤＳＣＨ）を介して搬送される。
【０００５】
ＰＵＳＣＨ転送の不在時に、ＵＥは物理アップリンク制御チャンネル（ＰＵＣＣＨ）を介してＵＬ制御情報（ＵＣＩ）を搬送する。しかしながら、ＰＵＳＣＨ転送が存在する場合、ＵＥはＰＵＳＣＨを介してデータと共にＵＣＩを搬送することができる。
【０００６】
ＤＬ制御信号はブロードキャスティングできるか、ＵＥ−特定属性で転送できる。したがって、ＵＥ−特定制御チャンネルは他の目的のうちでもＰＤＳＣＨ受信のためのスケジューリング割当（ＳＡ）（ＤＬ ＳＡ）、またはＰＵＳＣＨ転送のためのスケジューリング割当（ＳＡ）（ＵＬ ＳＡ）をＵＥに提供することに使用できる。ＳＡは各々の物理ＤＬ制御チャンネル（ＰＤＣＣＨ）を介してＤＬ制御情報（ＤＣＩ）フォーマットを使用してノードＢから各々のＵＥに転送される。
【０００７】
ＵＥは転送されたデータまたは制御信号のコヒーレント（coherent）復調を遂行するためにノードＢをイネーブリングさせるか、ＵＥが経験するＵＬチャンネル媒体に対する測定を取得するためにＲＳを転送する。復調のために使われるＲＳはＤＭ ＲＳと称され、ＵＬチャンネル媒体の測定のために使われるＲＳはサウンディングＲＳ（ＳＲＳ）と称される。
【０００８】
図１は、転送時間間隔（ＴＴＩ）でのＰＵＳＣＨ構造を示す図である。
【０００９】
【数１】
2014513490.tif 000003
【００１０】
【数２】
2014513490.tif 000004
【００１１】
図２は、複数のＵＥからのＳＲＳ転送のための構成を示す図である。
【００１２】
図２を参照すると、ＳＲＳ転送２６０、２６５は、最終サブフレームシンボルで２サブフレーム２０１、２０３毎に発生する。ＵＥ１データ２１０及びＵＥ２データ２２０のＰＵＳＣＨ転送は第１サブフレーム２０１のうち、相異するＢＷパートで多重化され、ＵＥ２データ２２０及びＵＥ３データ２３０は、第２サブフレーム２０２のうちに多重化され、ＵＥ４データ２４０及びＵＥ５データ２５０は、第３サブフレーム２０３のうちに多重化される。一部のシンボルで、ＵＥ１、ＵＥ２、ＵＥ３、ＵＥ４、及びＵＥ５は、ＤＭ ＲＳ ２１５、２２５、２３５、２４５、及び２５５を各々転送する。ＳＲＳ転送を有するＵＥは同一サブフレームでＰＵＳＣＨ転送を有するか、有しないことがあり、これらが同一サブフレームに共存すれば、ＳＲＳ及びＰＵＳＣＨ転送は動作ＢＷの相異するパートに位置できる。
【００１３】
【数３】
2014513490.tif 000005
【００１４】
図３は、ＵＥにあるＳＲＳ送信機構造を示す図である。
【００１５】
図３を参照すると、ＣＡＺＡＣシーケンスの周波数ドメインバージョンに対して非連続ＲＥを選択することによって、同等でないＢＷを有するＳＲＳ転送を同一シンボルで（周波数分割を通じて）直交多重化することに有用なコムスペクトル（comb spectrum）が取得できる。このようなＳＲＳは相異する長さのＣＡＺＡＣシーケンスにより構築され、これは相異するＣＳを使用して直交分離できない。ＳＲＳ送信機３１０は周波数ドメインＣＡＺＡＣシーケンスを生成する。選択器３２０はサブ−キャリアマッパー３３０で（コムスペクトルの場合、非連続ＲＥを含む）割り当てられた転送ＢＷの内のＲＥを選択する。逆高速フーリエ変換（ＩＦＦＴ）ユニット３４０はＩＦＦＴを遂行する。ＣＳ ３５０ユニットはＣＳを適用する。結果的な信号はＣＰを挿入するサイクリックプレフィックス（ＣＰ）ユニット３６０と時間ウィンドウイングフィルタ３７０を通過する。結果的な信号３８０が転送される。簡潔性のために、ディジタル−対−アナログコンバータ、アナログフィルタ、増幅器、及び送信アンテナのような追加的な送信機回路が含まれることができるが、図示していない。
【００１６】
図４は、ノードＢにあるＳＲＳ受信機構造を示す図である。
【００１７】
図４を参照すると、アンテナが無線−周波数（ＲＦ）アナログ信号を受信した後、そして（フィルタ、増幅器、周波数ダウン−コンバータ、及びアナログ−対−ディジタルコンバータのような）追加的な処理ユニットを通過した後、結果的な信号４１０は時間−ウィンドウイングフィルタ４２０及びＣＰ除去ユニット４３０を通過する。後続的に、ＣＳユニット４４０は転送されたＣＡＺＡＣシーケンスに適用されたＣＳを除去し、高速フーリエ変換（ＦＦＴ）ユニット４５０はＦＦＴを適用し、選択器４６０はサブ−キャリアデマッパー４６５で受信されたＲＥを選択し、相関器４７０はＣＡＺＡＣシーケンス写し４８０との相関を遂行する。最終的に、出力４９０がＵＬチャンネル推定器に伝達できる。
【００１８】
【数４】
2014513490.tif 000006
【００１９】
【表１】
2014513490.tif 000007
図５は＜表１＞からコンフィギュレーションｃ＝３を有する複数のＳＲＳ転送ＢＷに対する構造を示す図である。
【００２０】
【数５】
2014513490.tif 000008
【００２１】
ＳＲＳ転送は周期的または非周期的（動的）でありうる。周期的なＳＲＳ転送に対し、ノードＢは、例えばＲＲＣシグナリングのような上位レイヤシグナリングを通じて各ＵＥに対するＳＲＳ転送パラメータを構成する。また、周期的なＳＲＳ転送は上位レイヤシグナリングを通じて再構成されるまで有効に残る。周期的なＳＲＳ転送パラメータは、ＳＲＳ ＢＷ、コム（comb）、ＣＳ、スターティングＢＷ位置、周期（例えば、５サブフレーム毎に１つのＳＲＳ転送）、スターティングサブフレーム（例えば、ＳＲＳ転送をサポートするサブフレームセットの内の第１サブフレーム）、ＳＲＳを転送するＵＥ送信アンテナポートの数、及び動作ＢＷのパートを含むことができ、ＳＲＳ転送はホッピング（hopping）することができる。周期的ＳＲＳ転送は半静的（semi-statical）に構成されるので、特に周期的ＳＲＳ転送の大きい転送ＢＷを有し、複数のＵＥ送信アンテナポートからサポートされる必要がある場合に、相当なＵＬリソースを消耗することができる。ＳＲＳ転送に割り当てられたＵＬリソースを動的に制御するために、非周期的（動的）ＳＲＳ転送が利用できる。
【００２２】
非周期的ＳＲＳ転送はＵＥからのＰＵＳＣＨ転送、またはＵＥへのＰＤＳＣＨをスケジューリングするＤＣＩフォーマットの一部を通じた物理的レイヤシグナリング（ＰＤＣＣＨ）によりトリガーリングされる。このようなＤＣＩフォーマットは非周期的ＳＲＳ要請フィールドを含み、非周期的ＳＲＳ要請フィールドはＤＣＩフォーマット受信のＤＬサブフレームに対して予め決まった後続ＵＬサブフレームで非周期的ＳＲＳを転送するようにＵＥに指示する。例えば、このようなＵＬサブフレームは、ＤＣＩフォーマット転送のＤＬサブフレームと関連したＵＬサブフレームの後に少なくとも４ＴＴＩで発生する非周期的ＳＲＳ転送をサポートする第１のＵＬサブフレームでありうる。
【００２３】
非周期的ＳＲＳ転送パラメータの１つ以上のセットは各々のＤＣＩフォーマットに対してＵＥに構成できる。各々のＤＣＩフォーマットの非周期的ＳＲＳ要請フィールドは、ＵＥがどのセットを非周期的ＳＲＳ転送のために使用しなければならないかを表すことができる。非周期的ＳＲＳ転送パラメータは周期的ＳＲＳ転送パラメータと同一であるか、これのサブセットでありうる。例えば、非周期的ＳＲＳ転送サブフレームは各々のＤＣＩフォーマット受信のサブフレームに対して固有に決定することができ、非周期的ＳＲＳ転送は単に１回のみ発生することができる（転送周期を規定する必要は無い）。
【００２４】
＜表２＞は非周期的ＳＲＳ要請フィールドが１ビットからなるか、２ビットからなる場合に、非周期的ＳＲＳ要請フィールドのインタープリテーションを表す。非周期的ＳＲＳ要請フィールドの１つの値に対し、非周期的ＳＲＳ転送が存在せず、他の値は非周期的ＳＲＳ転送と非周期的ＳＲＳ転送パラメータの対応コンフィギュレーションを表す。
【００２５】
【表２】
2014513490.tif 000009
【発明の概要】
【発明が解決しようとする課題】
【００２６】
ＵＥによりサポートされる潜在的に複数である転送モードの各々に対し、各々ＰＤＳＣＨまたはＰＵＳＣＨをスケジューリングする複数のＤＣＩフォーマットは非周期的ＳＲＳ要請フィールドを含むことができる。また、異なるＤＣＩフォーマットが非周期的ＳＲＳ転送パラメータの異なるコンフィギュレーションと関連できる。非周期的ＳＲＳ要請フィールドのサイズ（例えば、１ビットまたは２ビット）は異なるＤＣＩフォーマットに対して異なることができる。ＵＥは、非周期的ＳＲＳ転送時点（ＵＬサブフレームでＰＵＳＣＨシンボル）が同一な複数のＤＣＩフォーマットを受信することができるので、各々の複数の非周期的ＳＲＳ要請フィールドに応答するＵＥ動作は、適切な動作が達成できるように決定される必要がある。また、ノードＢはＵＥが非周期的ＳＲＳを転送することと予測し、ＵＥはそうでない場合、ノードＢが非周期的ＳＲＳ転送の不在に対する信頼できる検出を遂行することができなければ、ＵＬチャンネル媒体の推定は不正確である。これは、ＵＬシステムスループットの損傷及び特定ＵＥとの通信品質に対し、ノードＢがＰＵＳＣＨ転送に対して下すことができる幾つかの後続スケジューリング決定に不利益な影響を及ぼすことになる。
【課題を解決するための手段】
【００２７】
本発明は、少なくとも前述した問題点及び／または不利益な点を扱うために、そして少なくとも後述する利点を提供するために作られたものである。したがって、本発明の態様は１つ以上のコンフィギュレーションを含むセットから転送パラメータのうちの１つのコンフィギュレーションで非周期的ＳＲＳ転送をトリガーリングする非周期的ＳＲＳ要請フィールドを提供するＤＣＩフォーマットの受信に応答して、ＵＥがＳＲＳを転送する方法及び装置を提供する。
【００２８】
本発明の実施形態によれば、ＵＥがＳＲＳを転送する方法が提供される。非周期的ＳＲＳ転送パラメータに対して第１値を有する非周期的ＳＲＳ転送を表す非周期的ＳＲＳ要請フィールドを有する第１のＤＣＩフォーマットが受信される。非周期的ＳＲＳ転送パラメータに対して第２値を有する非周期的ＳＲＳ転送を表す非周期的ＳＲＳ要請フィールドを有する第２のＤＣＩフォーマットが受信される。非周期的ＳＲＳ転送パラメータに対する第１値は非周期的ＳＲＳ転送パラメータに対する第２値と比較される。第１値が第２値と同一な場合に、非周期的ＳＲＳが転送される。第１値が第２値と同一でない場合に、非周期的ＳＲＳの転送は中止される。
【００２９】
本発明の他の実施形態によれば、ＵＥがＳＲＳを転送する方法が提供される。ＤＣＩフォーマットの第１ナンバー及びＤＣＩフォーマットの第２ナンバーが受信される。ＤＣＩフォーマットの第１ナンバーの各々は非周期的ＳＲＳ転送及び非周期的ＳＲＳ転送パラメータに対する値を表す非周期的ＳＲＳ要請フィールドを搬送する。ＤＣＩフォーマットの第２ナンバーの各々は、如何なる非周期的ＳＲＳ転送も表さない非周期的ＳＲＳ要請フィールドを搬送する。ＤＣＩフォーマットの第１ナンバーの各々の非周期的ＳＲＳ要請フィールドにより表した非周期的ＳＲＳ転送パラメータに対する値が比較される。ＤＣＩフォーマットの第２ナンバーの各々の非周期的ＳＲＳ要請フィールドは無視される。ＤＣＩフォーマットの第１ナンバーの各々の非周期的ＳＲＳ要請フィールドにより表した非周期的ＳＲＳ転送パラメータに対する値が全て同一な場合、非周期的ＳＲＳが転送される。ＤＣＩフォーマットの第１ナンバーの各々の非周期的ＳＲＳ要請フィールドにより表した非周期的ＳＲＳ転送パラメータに対する値が全て同一でない場合、非周期的ＳＲＳの転送は中止される。
【００３０】
本発明の追加的な態様によれば、ＳＲＳを転送するためのＵＥ装置が提供される。ＵＥ装置は非周期的ＳＲＳ転送パラメータに対して第１値を有する非周期的ＳＲＳ転送を表す非周期的ＳＲＳ要請フィールドを有する第１ダウンリンク制御情報（ＤＣＩ）フォーマットと、非周期的ＳＲＳ転送パラメータに対して第２値を有する非周期的ＳＲＳ転送を表す非周期的ＳＲＳ要請フィールドを有する第２のＤＣＩフォーマットを受信するための受信機を含む。また、ＵＥ装置は非周期的ＳＲＳ転送パラメータに対する第１値と非周期的ＳＲＳ転送パラメータに対する第２値とを比較するための比較器を含む。ＵＥ装置は、第１値が第２値と同一な場合に非周期的ＳＲＳを転送し、第１値が第２値と同一でない場合に非周期的ＳＲＳの転送を中止するための送信機をさらに含む。
【００３１】
本発明の追加的な態様によれば、ＳＲＳを転送するためのＵＥ装置が提供される。ＵＥ装置はダウンリンク制御情報（ＤＣＩ）フォーマットの第１ナンバーとＤＣＩフォーマットの第２ナンバーを受信するための受信機を含む。ＤＣＩフォーマットの第１ナンバーの各々は非周期的ＳＲＳ転送と非周期的ＳＲＳ転送パラメータに対する値を表す非周期的ＳＲＳ要請フィールドを搬送する。ＤＣＩフォーマットの第２ナンバーの各々は如何なる非周期的ＳＲＳ転送も表さない非周期的ＳＲＳ要請フィールドを搬送する。また、ＵＥ装置はＤＣＩフォーマットの第１ナンバーの各々の非周期的ＳＲＳ要請フィールドにより表した非周期的ＳＲＳ転送パラメータに対する値を比較し、ＤＣＩフォーマットの第２ナンバーの各々の非周期的ＳＲＳ要請フィールドを無視するための比較器を含む。ＵＥ装置は、ＤＣＩフォーマットの第１ナンバーの各々の非周期的ＳＲＳ要請フィールドにより表した非周期的ＳＲＳ転送パラメータに対する値が全て同一な場合に非周期的ＳＲＳを転送し、ＤＣＩフォーマットの第１ナンバーの各々の非周期的ＳＲＳ要請フィールドにより表した非周期的ＳＲＳ転送パラメータに対する値が全て同一でない場合に非周期的ＳＲＳの転送を中止するための送信機をさらに含む。
【図面の簡単な説明】
【００３２】
本発明の前述した態様、特徴、及び有利な点と他の態様、特徴、及び有利な点は添付の図面と連係して理解される時、後述する詳細な説明からより明らかになる。
【図１】ＴＴＩの上のＰＵＳＣＨ構造を示す図である。
【図２】複数のＵＥからのＳＲＳ転送に対するコンフィギュレーションを示す図である。
【図３】ＵＥにあるＳＲＳ送信機構造を示すブロック図である。
【図４】ノードＢにあるＳＲＳ受信機構造を示すブロック図である。
【図５】＜表１＞からコンフィギュレーションｃ＝３を有する複数のＳＲＳ転送ＢＷに対する構造を示す図である。
【図６】本発明の実施形態に従う各々の複数のサブフレームにおける非周期的ＳＲＳをトリガーリングする複数のＤＣＩフォーマットの受信を示す図である。
【図７】本発明の実施形態に従う同一な非周期的ＳＲＳ転送時点で非周期的ＳＲＳ転送を表す複数のＤＣＩフォーマットに応答するＵＥ送信機プロセスを示す図である。
【図８】本発明の実施形態に従う非周期的ＳＲＳのトリガーリングを表す第１のＤＣＩフォーマット及び非周期的ＳＲＳのトリガーリングを表さない第２のＤＣＩフォーマットを有する、各々のサブフレームの２つのＤＣＩフォーマットの受信を示す図である。
【図９】本発明の実施形態に従う非周期的ＳＲＳ転送を表す少なくとも１つのＤＣＩフォーマットと、同一な非周期的ＳＲＳ転送時点で如何なる非周期的ＳＲＳ転送も表さない少なくとも１つの異なるＤＣＩフォーマットに対して応答するＵＥ送信機プロセスを示す図である。
【発明を実施するための形態】
【００３３】
本発明の実施形態を、添付図面を参照して詳細に説明する。同一または類似の要素は異なる図面に図示されるとき、同一または類似の参照符号により表記する。本発明の請求項を曖昧にしないように本技術分野で公知の構成またはプロセスの詳細な説明は省略されることがある。
【００３４】
また、本発明の実施形態がＤＦＴ−拡散ＯＦＤＭ転送を参照して後述されるが、一般的に全ての周波数分割多重化（ＦＤＭ）転送と、単一−キャリア周波数分割多重アクセス（ＳＣ−ＦＤＭＡ）、及び特にＯＦＤＭ全てにも適用可能である。
【００３５】
本発明の実施形態は、ＵＥが同一なＵＬサブフレームシンボルで非周期的ＳＲＳ転送を表す複数のＤＣＩフォーマットを受信することと考慮する。
【００３６】
図６は、本発明の実施形態に従う非周期的ＳＲＳをトリガーリングする各複数のサブフレームの複数のＤＣＩフォーマットの受信を示す図である。
【００３７】
図６を参照すると、ＵＥはＵＬサブフレーム６３０で非周期的ＳＲＳ転送をトリガーリングする第１のＤＬサブフレーム６１０の第１のＤＣＩフォーマット６２０と、同一なＵＬサブフレーム６３０（そして、例えば最終シンボルのようなＵＬサブフレームの同一シンボル）の非周期的ＳＲＳ転送をトリガーリングする第２のＤＬサブフレーム６４０の第２のＤＣＩフォーマット６５０を受信する。ＵＥが潜在的に非周期的ＳＲＳを転送するＵＬサブフレーム６３０の以前のＵＬサブフレームは非周期ＳＲＳ転送をサポートしないことと想定される。したがって、ＵＥは非周期的ＳＲＳを転送するためにＵＬサブフレーム６３０を待つ必要がある。第１のＤＣＩフォーマット、ＤＣＩフォーマット１（６２０）、第２のＤＣＩフォーマット、ＤＣＩフォーマット２（６５０）は、異なるＤＣＩフォーマットに必ず対応するものではないが、異なるＤＬサブフレームに転送された同一なＤＣＩフォーマットにも対応できる。
【００３８】
第１のＤＣＩフォーマット６２０及び第２のＤＣＩフォーマット６５０が異なる非周期的ＳＲＳコンフィギュレーションを搬送すれば、具体的に、異なる非周期的ＳＲＳ転送パラメータを有する非周期的ＳＲＳコンフィギュレーション、ノードＢ、及びＵＥは、ＵＥが第２のＤＣＩフォーマット６５０を抜かす場合（または、不正確に受信する場合）、非周期的ＳＲＳ転送パラメータの異なる理解を有するようになる。
【００３９】
第２のＤＣＩフォーマット６５０は、非周期的ＳＲＳ転送がＵＬサブフレーム６３０で発生するＤＬサブフレームでＵＥに転送される非周期的ＳＲＳ要請を有する最終ＤＣＩフォーマットであることと想定される。このような誤認識の結果は、ＵＥがノードＢにより想定されたものと異なるパラメータを有する非周期的ＳＲＳを転送することと（例えば、ＣＳが同一な場合）、非周期的ＳＲＳ転送が互いに異なるＵＥと干渉するということである。それによって、ＵＥが非周期的ＳＲＳ転送パラメータの異なるセットを使用するので、ノードＢは基準ＵＥからの非周期的ＳＲＳ転送に対して予測されたリソースでノイズを観測する。ノードＢは干渉されたＵＥに対して誤謬が生じたＵＬチャンネル媒体推定を取得する。このようなイベントの両方ともはＵＬシステムスループットの損傷とＵＥで経験される通信品質に対して干渉している、そして干渉されるＵＥに対するＵＬチャンネル媒体の不正確な推定及びこのようなＵＥからＰＵＳＣＨ転送をスケジューリングするためのノードＢによる不正確な決定と帰結できる。
【００４０】
したがって、ＵＥが同一な非周期的ＳＲＳ転送時点で異なるパラメータを有する非周期的ＳＲＳ転送に対する複数の非周期的ＳＲＳ要請を受信する場合に、非周期的ＳＲＳ要請が不正確なノードＢ動作、または少なくとも１つの各々のＤＣＩフォーマットの誤った検出に起因できるので、ＵＥは非周期的ＳＲＳ要請全てを無視しなければならない。
【００４１】
反対に、第１のＤＣＩフォーマット６２０及び第２のＤＣＩフォーマット６５０が同一な非周期的ＳＲＳコンフィギュレーション、具体的に同一な非周期的ＳＲＳ転送パラメータを有する非周期的ＳＲＳコンフィギュレーションを搬送する場合、ＵＥは各々のＳＲＳ要請を有効なものと考慮しなければならず、各々のＤＣＩフォーマットで非周期的ＳＲＳ要請フィールドにより表したコンフィギュレーションのパラメータを使用してＵＬサブフレーム６３０で非周期的ＳＲＳ転送を遂行しなければならない。
【００４２】
複数のＤＣＩフォーマットがＵＥに転送され、同一なサブフレームで非周期的ＳＲＳ転送に対する同一コンフィギュレーションを搬送する場合に、非周期的ＳＲＳ転送を表す利点は、ＵＥがこのようなＤＣＩフォーマットのうちの一部を抜かしてもノードＢにより予測されたものと同一なパラメータを使用して相変らず非周期的ＳＲＳを転送できるということである。したがって、ノードＢが、ＵＥが非周期的ＳＲＳを転送しているか否かをブラインド検出する必要がない場合、実際の非周期的ＳＲＳ転送に基づいてＵＥに対してＵＬチャンネル媒体をノードＢが推定する確率が増加する。また、ＵＥに割り当てられた非周期的ＳＲＳリソースが抜けたＤＣＩフォーマットにより浪費されない確率も増加する。
【００４３】
したがって、本発明の実施形態は、与えられた非周期的ＳＲＳ転送時点で非周期的ＳＲＳ転送パラメータの同一コンフィギュレーションに対応する、各々複数のＤＣＩフォーマットでの複数の非周期的ＳＲＳ要請をＵＥが受信する場合に、ＵＥは非周期的ＳＲＳを転送することと考慮する。そうでなくて、与えられた非周期的ＳＲＳ転送時点で非周期的ＳＲＳ転送パラメータの異なるコンフィギュレーションに対応する、各々複数のＤＣＩフォーマットで複数の非周期的ＳＲＳ要請をＵＥが受信した場合、ＵＥはどんな非周期的ＳＲＳも転送しない。
【００４４】
図７は、本発明の実施形態に従う同一な非周期的ＳＲＳ転送時点で非周期的ＳＲＳ転送を表す複数のＤＣＩフォーマットに対して応答するＵＥ送信機プロセスを示す図である。
【００４５】
図７を参照すると、ＵＥはステップ７１０で、同一な非周期的ＳＲＳ転送時点で非周期的ＳＲＳ転送を表す複数のＤＣＩフォーマットを受信する。非周期的ＳＲＳを転送するか否かを決めるために、ＵＥはステップ７２０で、複数の非周期的ＳＲＳ要請が対応する非周期的ＳＲＳ転送時点で非周期的ＳＲＳ転送パラメータの同一なコンフィギュレーション（値）を表すか否かを決める。複数の非周期的ＳＲＳ要請が転送パラメータの同一コンフィギュレーションを表す場合に、ＵＥはステップ７３０で、非周期的ＳＲＳ転送パラメータに対して割り当てられた値を使用して、例えば図３の構造を使用して非周期的ＳＲＳを転送する。複数の非周期的ＳＲＳ要請が転送パラメータの同一コンフィギュレーションを表さない場合に、ＵＥはステップ７４０で、各々の転送時点でどんな非周期的ＳＲＳも転送しない。
【００４６】
本発明の他の実施形態は、同一なＵＬサブフレームシンボル（即ち、同一な非周期的ＳＲＳ転送時点）で非周期的ＳＲＳ転送のトリガーリングを表すことができる複数のＤＣＩフォーマットをＵＥが受信することと考慮するが、このようなＤＣＩフォーマットのうち、少なくとも１つの非周期的ＳＲＳ要請フィールドは、非周期的ＳＲＳが転送されてはならないものと表す。
【００４７】
図８は、本発明の実施形態に従う非周期的ＳＲＳのトリガーリングを表す第１のＤＣＩフォーマット及び非周期的ＳＲＳのトリガーリングを表さない第２のＤＣＩフォーマットを有する、各々のサブフレームの２つＤＣＩフォーマットの受信を示す図である。
【００４８】
図８を参照すると、ＵＥはＵＬサブフレーム８３０で非周期的ＳＲＳ転送をトリガーリングする第１のＤＬサブフレーム８１０の第１のＤＣＩフォーマット８２０と、同一なＵＬサブフレーム８３０（ＵＬサブフレームの同一シンボル）の非周期的ＳＲＳ転送をトリガーリングしない第２のＤＬサブフレーム８４０の第２のＤＣＩフォーマット８５０を受信する。ＵＥが潜在的に非周期的ＳＲＳを転送することができるＵＬサブフレーム８３０の以前のＵＬサブフレームは非周期的ＳＲＳ転送をサポートしないものと想定されるので、ＵＥは非周期的ＳＲＳを転送するためにＵＬサブフレーム８３０を待つ必要がある。また、前述した本発明の以前の実施形態を考慮すると、ＤＣＩフォーマット１（８２０）及びＤＣＩフォーマット２（８５０）は、異なるＤＣＩフォーマットに対応する必要があり、これらは異なるＤＬサブフレームで転送された同一ＤＣＩフォーマットに対応できない。また、図８が、第２のＤＣＩフォーマット８５０が第１のＤＣＩフォーマット８２０の後に受信されることと図示するが、その逆も適用可能である。
【００４９】
如何なる非周期的ＳＲＳ転送も表さない代わりに、曖昧にすることを回避し、本発明の以前の実施形態に説明されたシステムを動作させるために、第２のＤＣＩフォーマット８５０が同一な非周期的ＳＲＳ転送時点で第１のＤＣＩフォーマット８２０と同一なパラメータを使用して非周期的ＳＲＳ転送を表すことが可能である。しかしながら、非周期的ＳＲＳリソースを割り当てることに柔軟性を向上させるために、異なるＤＣＩフォーマットの非周期的ＳＲＳ転送パラメータに対して異なるコンフィギュレーションを搬送することが可能でなければならない。２つの異なるＤＣＩフォーマットから同一なパラメータを使用して非周期的ＳＲＳ転送を表すことは可能でない。したがって、ＵＥが与えられた非周期的ＳＲＳ転送時点で非周期的ＳＲＳ転送に対する要請をＤＣＩフォーマットで受信すれば、ＵＥが与えられた非周期的ＳＲＳ転送時点でどんな非周期的ＳＲＳ転送も表さない要請を異なるＤＣＩフォーマットで受信してもＵＥは非周期的ＳＲＳを転送しなければならない。ＵＥが同一な非周期的ＳＲＳ転送時点でそのようにせよとの複数の要請を受信する場合にも、ＵＥが非周期的ＳＲＳを転送してはならない場合のみ本発明の以前の実施形態で前述された。
【００５０】
したがって、本発明の本実施形態は、ＵＥが非周期的ＳＲＳ転送時点で同一パラメータを有する非周期的ＳＲＳ転送を表すＤＣＩフォーマットを受信し、また同一な非周期的ＳＲＳ転送時点でどんな非周期的ＳＲＳ転送も表さない異なるＤＣＩフォーマットを受信する場合に、ＵＥが非周期的ＳＲＳ転送時点で表したパラメータを有する非周期的ＳＲＳを転送することと考慮する。
【００５１】
図９は、本発明の実施形態に従う非周期的ＳＲＳ転送を表す少なくとも１つのＤＣＩフォーマットと、同一な非周期的ＳＲＳ転送時点でどんな非周期的ＳＲＳ転送も表さない少なくとも１つの異なるＤＣＩフォーマットに対して応答するＵＥ送信機プロセスを示す図である。
【００５２】
図９を参照すると、ＵＥは非周期的ＳＲＳ転送を表す少なくとも１つの第１のＤＣＩフォーマットと、同一な非周期的ＳＲＳ転送時点でどんな非周期的ＳＲＳ転送も表さない、少なくとも１つの第１のＤＣＩフォーマットとは異なる少なくとも１つの第２のＤＣＩフォーマットをステップ９１０で受信する。ＵＥは、非周期的ＳＲＳ転送でないことに対する要請を無視し、複数のＤＣＩフォーマットが非周期的ＳＲＳ転送を表す場合に、ＵＥプロセシングは図７に説明されたように進行する。したがって、ＵＥは、ステップ９２０で、全ての非周期的ＳＲＳ要請フィールドが対応する非周期的ＳＲＳ転送時点で非周期的ＳＲＳ転送パラメータの同一コンフィギュレーションを表すことと決める。全ての非周期的ＳＲＳ要請フィールドが転送パラメータの同一コンフィギュレーションを表す場合に、ＵＥはステップ９３０で割り当てられた転送パラメータを使用して、例えば図３の構造を使用して非周期的ＳＲＳを転送する。全ての非周期的ＳＲＳ要請フィールドが転送パラメータの同一コンフィギュレーションを表さない場合に、ＵＥはステップ９４０で各々の転送時点でどんな非周期的ＳＲＳも転送しない。
【００５３】
本発明がその特定の実施形態を参照して図示及び説明されたが、本技術分野の当業者に、添付した請求項及びその均等物により規定される本発明の思想及び範囲を逸脱することなく多様な形態の変化及び詳細事項がその内でなされることができるということが理解できる。
【符号の説明】
【００５４】
１１０  １サブ−フレーム
１３０  １シンボル
２０１  サブ−フレーム
２０２  サブ−フレーム
２０３  サブ−フレーム
３１０  ＣＡＺＡＣ−基盤シーケンス
３２０  転送帯域幅の制御
３３０  サブ−キャリアマッピング
３４０  ＩＦＦＴ
３５０  ＣＳ
３６０  ＣＰ挿入
３７０  時間ウィンドウイング
３８０  転送された信号
４１０  受信された信号
４２０  受信された信号
４３０  ＣＰ除去
４４０  ＣＳ
４５０  ＦＦＴ
４６０  受信帯域幅の制御
４６５  サブ−キャリアマッピング
４７０  マルチプライヤー
４８０  ＣＡＺＡＣ−基盤シーケンス
４９０  出力
【図１】
2014513490.tif 000010
【図２】
2014513490.tif 000011
【図３】
2014513490.tif 000012
【図４】
2014513490.tif 000013
【図５】
2014513490.tif 000014
【図６】
2014513490.tif 000015
【図７】
2014513490.tif 000016
【図８】
2014513490.tif 000017
【図９】
2014513490.tif 000018
【国際調査報告】
2014513490.tif 000019
2014513490.tif 000020